(57)【要約】【課題】高感度の電磁誘導型タッチパネルを備えた液晶表示装置を提供する。【解決手段】光の透過を制御する複数の画素がマトリックス状に配列された画面エリア７を有し、画像表示と、画面エリア７内の予め定めた位置に複数の入力キー８を行方向及び列方向に配列させて表示するキー表示とを行なう液晶表示素子１と、液晶表示素子１の観察側の面のうちの複数のキー表示部を選択的にタッチし、そのキー表示部に対して磁場を与えるための電磁ペン１５と、液晶表示素子１の観察側とは反対側に配置され、液晶表示素子１に対向する面に、前記複数のキー表示部にそれぞれ対応させて、電磁ペン１５により与えられ、液晶表示素子を通過した磁場を受けて誘導電流を発生する渦巻形状に形成された複数のセンサ導体２２が設けられたタッチ位置検出用センサ基板２０とを備える。【選択図】図１
2008084222.tif 000002
【特許請求の範囲】
【請求項１】
光の透過を制御する複数の画素がマトリックス状に配列された画面エリアを有し、画像表示と、前記画面エリア内の予め定めた位置に複数の入力部を表示する入力部表示とを行なう液晶表示素子と、
磁場発生手段を有し、前記液晶表示素子の観察側の面のうちの前記複数の入力部表示に対して前記磁場を発生するための電磁ペンと、
前記液晶表示素子の観察側とは反対側の、前記液晶表示素子の複数の入力部表示にそれぞれ対応する位置に、渦巻形状、或いは複数本のループ状の導体が平面状に配置され、前記電磁ペンにより発生された磁場によりる誘導電流を発生発生させるための複数のセンサ導体が設けられたタッチ位置検出用センサ基板と、
を備えることを特徴とする液晶表示装置。
【請求項２】
液晶表示素子は、複数の入力部が行方向及び列方向に配列され、
センサ基板の複数のセンサ導体は、液晶表示素子の複数の入力表示毎にそれぞれ対応させて設けられており、これらのセンサ導体の一端が接地端子に接続され、前記複数のセンサ導体のうち、行方向に配列された各センサ導体の他端が各行毎に対応させて設けられた複数の行方向出力端子にそれぞれ接続され、列方向に配列された各センサ導体の他端が各列毎に対応させて設けられた複数の列方向出力端子にそれぞれ接続されていることを特徴とする請求項１に記載の液晶表示装置。
【請求項３】
センサ基板の複数のセンサ導体は、液晶表示素子の複数の入力部表示にそれぞれ対応させて設けられており、これらのセンサ導体一端が接地端子に接続され、前記複数のセンサ導体の他端が、各センサ導体毎に対応させて設けられた複数の出力端子にそれぞれ接続されていることを特徴とする請求項１に記載の液晶表示装置。
【請求項４】
複数のセンサ導体はそれぞれ、センサ基板本体の液晶表示素子に対向する面に、渦巻形状に形成されており、これらのセンサ導体の前記渦巻の中心側の端部が、前記基板本体のセンサ導体形成面とは反対面に形成された接地配線を介して接地端子に接続され、前記複数のセンサ導体の他端が、前記基板本体のセンサ導体形成面に形成された出力配線を介して出力端子に接続されていることを特徴とする請求項２または３に記載の液晶表示装置。
【請求項５】
複数のセンサ導体はそれぞれ、センサ基板本体の液晶表示素子に対向する面に、一部に切り離し部を有する四角形または円形のリング状に形成された対角線長または直径が互いに異なる複数本のループ線が、それぞれの切り離し部を互いに対応させて同心的に形成され、これらのループ線の一方の切り離し端同士及び他方の切り離し端同士がそれぞれ並列接続された形状に形成されており、前記複数のセンサ導体の前記複数のループ線の２つの並列接続部の一方が、前記基板本体のセンサ導体形成面に形成された接地配線を介して接地端子に接続され、前記複数のセンサ導体の他端が、前記基板本体のセンサ導体形成面に形成された出力配線を介して出力端子に接続されていることを特徴とする請求項２または３に記載の液晶表示装置。
【発明の詳細な説明】
【技術分野】
【０００１】
この発明は、電磁誘導型タッチパネルを備えた液晶表示装置に関する。
【背景技術】
【０００２】
タッチ入力用のタッチパネルを備えた液晶表示装置として、磁場発生手段を有し、タッチ部に対して前記磁場を与えるためのタッチ入力用電磁ペンと、前記電磁ペンによるタッチ位置を検出するためのセンサ基板とからなる電磁誘導型タッチパネルを備えたものがある。
【０００３】
この電磁誘導型タッチパネルは、磁場を利用するものであり、磁場は、液晶表示素子をその表示に影響を及ぼすこと無く通過するため、前記液晶表示素子の観察側の面を前記電磁ペンによるタッチ面とし、前記センサ基板を、前記液晶表示素子の観察側とは反対側に配置することが可能である。
【０００４】
前記電磁誘導型タッチパネルを備えた液晶表示装置としては、従来、画像表示と、画面エリア内の予め定めた位置に複数の入力キーを表示するキー表示とを行なう液晶表示素子の観察側とは反対側に、前記行方向に沿った１本のループ線からなるＸ軸センサ導体と、前記列方向に沿った１本のループ線からなるＹ軸センサ導体とを、前記液晶表示素子の複数のキー表示部にそれぞれ対応させて複数ずつ形成したタッチ位置検出用センサ基板を配置したものがある（特許文献１参照）。
【特許文献１】特開２００４−３０２４３１号公報
【発明の開示】
【発明が解決しようとする課題】
【０００５】
しかし、従来の電磁誘導型タッチパネルを備えた液晶表示装置は、電磁ペンにより与えられる磁場の強さに比べて、前記センサ導体に生じる誘導電流が微弱であり、そのために、電磁誘導型タッチパネルの感度が低い。
【０００６】
この発明は、高感度の電磁誘導型タッチパネルを備えた液晶表示装置を提供することを目的としたものである。
【課題を解決するための手段】
【０００７】
この発明の液晶表示装置は、
光の透過を制御する複数の画素がマトリックス状に配列された画面エリアを有し、画像表示と、前記画面エリア内の予め定めた位置に複数の入力部を表示する入力部表示とを行なう液晶表示素子と、
磁場発生手段を有し、前記液晶表示素子の観察側の面のうちの前記複数の入力部表示に対して前記磁場を発生するための電磁ペンと、
前記液晶表示素子の観察側とは反対側の、前記液晶表示素子の複数の入力部表示にそれぞれ対応する位置に、渦巻形状、或いは複数本のループ状の導体が平面状に配置され、前記電磁ペンにより発生された磁場によりる誘導電流を発生発生させるための複数のセンサ導体が設けられたタッチ位置検出用センサ基板と、
を備えることを特徴とする。
【発明の効果】
【０００８】
この発明の液晶表示装置は、上記のような構成であるため、前記電磁ペンと、前記液晶表示素子の観察側とは反対側に配置された前記センサ基板とからなる電磁誘導型タッチパネルに、高感度のタッチ位置検出を行なわせることができる。
【発明を実施するための最良の形態】
【０００９】
（第１の実施形態）
図１〜図５はこの発明の第１の実施例を示しており、図１は液晶表示装置の分解斜視図である。
【００１０】
この液晶表示装置は、液晶表示素子の観察側の面をタッチ面とした電磁誘導型タッチパネルを備えたものであり、光の透過を制御する複数の画素（図示せず）がマトリックス状に配列された画面エリア７を有し、画像表示と、前記画面エリア７内の予め定めた位置に複数の入力部としての複数の入力キー８を行方向及び列方向に配列させて表示するキー表示とを行なう液晶表示素子１と、前記液晶表示素子１の観察側（図１において上側）とは反対側に配置され、前記液晶表示素子１に向けて照明光を照射する面光源９と、前記電磁誘導型タッチパネルを構成するタッチ入力用電磁ペン１５及びタッチ位置検出用センサ基板２０とを備えている。
【００１１】
前記液晶表示素子１は、例えばＴＦＴ（薄膜トランジスタ）を能動素子とした透過型のアクティブマトリックス液晶表示素子であり、その断面構造は図示しないが、枠状のシール材４を介して接合された観察側とその反対側の一対の透明基板２，３間の前記シール材４で囲まれた領域に液晶層が封入され、前記一対の基板２，３の対向する内面の一方、例えば反対側の基板３の内面に、マトリックス状に配列させて形成された複数の透明な画素電極と、これらの画素電極にそれぞれ接続された複数のＴＦＴと、各行のＴＦＴにゲート信号を供給する複数の走査線と、各行のＴＦＴにデータ信号を供給する複数の信号線とが設けられ、他方向基板、つまり観察側基板２の内面に、前記複数の画素電極の配列領域の全域に対応する一枚膜状の透明な対向電極と、前記複数の画素電極と前記対向電極とが互いに対向する領域からなる複数の画素にそれぞれ対応させて形成された赤、緑、青の３色のカラーフィルタとが設けられ、前記一対の基板２，３の外面にそれぞれ偏光板５，６が配置された構成となっている。
【００１２】
この液晶表示素子１は、前記液晶層の液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれか、あるいは強誘電性または反強誘電性液晶表示素子であり、前記一対の偏光板５，６は、それぞれの透過軸の向きを、良好なコントラストが得られるように設定して配置されている。
【００１３】
なお、この実施例の液晶表示素子１は、一対の基板２，３の内面それぞれに設けられた電極間に電界を生じさせて液晶分子の配向状態を変化させるものであるが、液晶表示素子１は、一対の基板のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型のものでもよい。
【００１４】
前記液晶表示素子１は、図示しない表示駆動回路により駆動され、常時は、前記画面エリア７の全域に画像を表示し、前記電磁誘導型タッチパネルによるタッチ入力を行なうときに、前記画面エリア７内の予め定めた位置に、複数の入力キー８を行方向及び列方向に配列させて表示する。
【００１５】
なお、前記複数の入力キー８はそれぞれ、例えば縦横の幅が５〜１５ｍｍの正方形状または矩形状キーであり、数十ずつの画素群により、キー形状とキーの種類を示す数字や記号等（図示せず）とが表示される。
【００１６】
また、前記面光源９は、前記液晶表示素子１の少なくとも画面エリアに対向する面積を有する板状の透明部材からなり、その一端面に光を入射させる入射端面１１が形成され、前記液晶表示素子１に対向する一方の板面に前記入射端面１１から入射した光の出射面１２が形成され、他方の板面に前記入射端面１１から入射した光を前記出射面１２に向けて反射する反射面が形成された導光板１０と、前記導光板１０の入射端面１１に対向させて配置されたＬＥＤ（発光ダイオード）等の複数の発光素子１４とにより構成されている。
【００１７】
次に、電磁誘導型タッチパネルについて説明すると、この電磁誘導型タッチパネルは、磁場発生手段を有し、前記液晶表示素子１の観察側の面のうちの複数のキー表示部を選択的にタッチし、そのキー表示部に対して前記磁場を与えるための電磁ペン１５と、前記液晶表示素子１の観察側とは反対側に配置され、前記液晶表示素子１に対向する面に、前記液晶表示素子１の複数のキー表示部にそれぞれ対応させて、前記電磁ペン１５により与えられ、前記液晶表示素子１を通過した前記磁場を受けて誘導電流を発生する、渦巻形状、或いは複数本のループ線の一端同士及び他端同士がそれぞれ並列接続された形状の複数のセンサ導体２２が設けられたタッチ位置検出用センサ基板２０とにより構成されている。
【００１８】
なお、この実施例の液晶表示装置は、前記液晶表示素子１の観察側とは反対側に前記面光源９を配置したものであり、前記センサ基板２０は、前記面光源９からの照射光を遮らないように、前記面光源９の後側（前記液晶表示素子１に対向する側とは反対側）に配置されている。
【００１９】
図２は前記電磁ペン１５のペン先部の拡大断面図であり、この電磁ペン１５は、筒状部材からなるペン胴体１６と、前記ペン胴体１６の先端部に嵌着されたペン先部材１７と、前記ペン先部材１７のペン胴体１６内側の端部に形成された軸部１７ａに巻付けられた磁場発生コイル１８と、前記ペン胴体１６内に設けられ、前記磁場発生コイル１８に接続された交流電源１９とからなっている。
【００２０】
なお、図２では前記交流電源１９を簡略化しているが、この交流電源１９は、電源電池と、交流電圧発生回路とにより構成されている。
【００２１】
図３は前記センサ基板２０の平面図、図４は前記センサ基板２０の１つのセンサ導体部の拡大断面図である。
【００２２】
このセンサ基板２０は、絶縁性の板部材からなるセンサ基板本体２１の前記液晶表示素子１に対向する面に、複数のセンサ導体２２を、前記液晶表示素子１の複数のキー表示部毎にそれぞれ対応させて、行方向及び列方向に配列させて設けたものであり、この実施例のセンサ基板２０の複数のセンサ導体２２はそれぞれ、前記基板本体２１面に、前記キー表示部に対応する領域の中心部付近から外周付近にわたって実質的に四角形の渦巻形状に形成された導電膜２３からなっている。
【００２３】
また、前記基板本体２１のセンサ導体形成面の周縁部には、任意の箇所に設けられた１つの接地端子２８と、前記行方向の一端側の縁部に、各センサ導体行毎に対応させて設けられた複数の行方向出力端子２９と、前記列行方向の一端側の縁部に、各センサ導体列毎に対応させて設けられた複数の列方向出力端子３０とが形成されており、前記基板本体２１面に渦巻形状に形成された前記複数のセンサ導体２２の前記渦巻の中心側の端部は、前記基板本体２１のセンサ導体形成面とは反対面に形成された接地配線２８ａを介して前記１つの接地端子２８に接続され、前記複数のセンサ導体２２の他端（渦巻の外周側の端部）は、各行毎及び各列毎に、前記基板本体２１のセンサ導体形成面に形成された各行毎の行方向出力配線２９ａ及び各列毎の列方向出力配線３０ａを介して、前記複数の行方向出力端子２５と前記複数の列方向出力端子２６とにそれぞれ接続されている。
【００２４】
なお、前記基板本体２１のセンサ導体形成面とは反対面に形成された前記接地配線２８ａは、前記基板本体２１を貫通して設けられたスルーホール部において前記複数のセンサ導体２２の前記渦巻の中心側の端部及び前記接地端子２８に接続されている。
【００２５】
そして、前記センサ基板２０の前記接地端子２８は、図示しない接地電位に接続され、前記複数の行方向出力端子２９と前記複数の列方向出力端子３０は、前記複数の行方向出力端子２９からの出力と、前記複数の列方向出力端子３０からの出力とに基づいて、前記電磁ペン１５によるタッチ位置、つまりタッチされた入力キー８を判定する図示しない入力キー判定回路に接続されている。
【００２６】
前記電磁ペン１５とセンサ基板２０とからなる電磁誘導型タッチパネルは、前記液晶表示素子１の観察側の面を前記電磁ペン１５によるタッチ面としたものであり、前記液晶表示素子１に前記複数の入力キー８を表示させ、これらのキー表示部を前記電磁ペン１５により選択的にタッチさせることにより、前記電磁ペン１５からタッチされたキー表示部に与えられ、前記液晶表示素子１と前記面光源９の導光板１０とを透過した磁場によって前記センサ基板２０の前記タッチされたキー表示部に対応するセンサ導体２２に生じる誘導電流を、そのセンサ導体２２の行及び列に対応する行方向出力端子２９及び列方向出力端子３０から前記入力キー判定回路に出力する。
【００２７】
この液晶表示装置は、前記電磁誘導型タッチパネルを、磁場発生手段を有し、前記液晶表示素子１の観察側の面のうちの前記複数のキー表示部を選択的にタッチし、そのキー表示部に対して前記磁場からなる磁場を与えるための電磁ペン１５と、前記液晶表示素子１の観察側とは反対側に配置された前記面光源９の後側に配置され、前記液晶表示素子１に対向する面に、前記液晶表示素子１の複数のキー表示部にそれぞれ対応させて、前記電磁ペン１５により与えられ、前記液晶表示素子１及び前記面光源９の導光板１０を通過した前記磁場を受けて誘導電流を発生する渦巻形状の複数のセンサ導体２２が設けられたタッチ位置検出用センサ基板２０とにより構成しているため、前記電磁誘導型タッチパネルに、高感度のタッチ位置検出を行なわせることができる
すなわち、この液晶表示装置は、前記電磁誘導型タッチパネルを構成するタッチ位置検出用センサ基板２０の複数のセンサ導体２２をそれぞれ渦巻形状に形成しているため、前記電磁ペン１５により発生された磁場を横切る導体の数を、従来の１本のループ線からなるセンサ導体に比べて多くし、前記センサ導体２２に充分な強さの誘導電流を生じさせることができ、したがって、前記電磁誘導型タッチパネルの感度を高くすることができる。
【００２８】
そして、この実施例では、前記センサ基板２０の複数のセンサ導体２２を、前記液晶表示素子の複数のキー表示部毎にそれぞれ対応させて、行方向及び列方向に配列させて設け、これらのセンサ導体２２の一端を接地端子２８に接続し、前記複数のセンサ導体２２のうち、行方向に配列された各センサ導体２２の他端を、各行毎に対応させて設けられた複数の行方向出力端子２９にそれぞれ接続し、列方向に配列された各センサ導体２２の他端を、各列毎に対応させて設けられた複数の列方向出力端子３０にそれぞれ接続しているため、前記センサ基板２０の複数の行方向出力端子２９からの出力と、複数の列方向出力端子３０からの出力とに基づいて、前記電磁ペン１５によるタッチ位置、つまりタッチされた入力キー８を判定することができる。
【００２９】
また、この実施例では、前記センサ基板２０を、センサ基板本体２１の液晶表示素子１に対向する面に、渦巻形状に形成された複数のセンサ導体２２を行方向及び列方向に配列させて設け、これらのセンサ導体２２の前記渦巻の中心側の端部を、前記基板本体２１のセンサ導体形成面とは反対面に形成された接地配線２８ａを介して前記接地端子２８に接続し、前記複数のセンサ導体２２の他端を、前記基板本体２１のセンサ導体形成面に形成された出力配線２９ａ，３０ａを介して前記複数の出力端子２９，３０にそれぞれ接続しているため、前記複数の行方向出力端子２５からの出力と、前記複数の列方向出力端子２６からの出力とに基づいて、前記電磁ペン１５によるタッチ位置、つまりタッチされた入力キー８を判定することができる。
【００３０】
なお、上記実施例では、前記センサ基板２０の複数のセンサ導体２２をそれぞれ、液晶表示素子１のキー表示部に対応する領域の中心部付近から外周付近にわたって渦巻形状に形成しているが、前記センサ導体２２は、前記渦巻の中心側の磁場による起電力が小さい部分を省略した形状に形成してもよい。
【００３１】
また、前記センサ導体２２は、実質的に四角形の渦巻形状に限らず、他の形状、例えば、実質的に円形の渦巻形状に形成してもよく、さらには、複数本のループ線の一端同士及び他端同士がそれぞれ並列接続された形状に形成してもよい。
【００３２】
図５〜図９はぞれぞれ前記センサ導体２２の変形例を示しており、図５に示したセンサ導体２２ａは、実質的に四角形の渦巻形状で、且つ渦巻の中心側の部分を省略した形状に形成されている。
【００３３】
また、図６に示したセンサ導体２２ｂは、前記液晶表示素子１のキー表示部に対応する領域の中心部付近から外周付近にわたって実質的に円形の渦巻形状に形成されており、図７に示したセンサ導体２２ｃは、実質的に円形の渦巻形状で、且つ渦巻の中心側の部分を省略した形状に形成されている。
【００３４】
さらに、図８に示したセンサ導体２２ｄは、一部に切り離し部を有する四角形のリング状に形成された対角線長が互いに異なる複数本のループ線２４が、それぞれの切り離し部を互いに対応させて同心的に形成され、これらのループ線２４の一方の切り離し端同士及び他方の切り離し端同士がそれぞれ接続線２５ａ，２５ｂにより並列接続された形状に形成されており、図９に示したセンサ導体２２ｅは、一部に切り離し部を有する円形のリング状に形成された直径が互いに異なる複数本のループ線２６が、それぞれの切り離し部を互いに対応させて同心的に形成され、これらのループ線２６の一方の切り離し端同士及び他方の切り離し端同士がそれぞれ接続線２７ａ，２７ｂにより並列接続された形状に形成されている。
【００３５】
また、上記実施例のセンサ基板２０は、液晶表示素子の複数のキー表示部毎にそれぞれ対応させて複数のセンサ導体２２を設けたものであるが、タッチ位置検出用センサ基板は、基板本体の液晶表示素子１に対向する面に、前記液晶表示素子１の各行のキー表示部にそれぞれ対応する細長い渦巻形状、或いは複数本の細長いループ線の一端同士及び他端同士がそれぞれ並列接続された形状の複数の行方向センサ導体と、前記液晶表示素子１の各列のキー表示部にそれぞれ対応する細長い渦巻形状、或いは複数本の細長いループ線の一端同士及び他端同士がそれぞれ並列接続された形状の複数の列方向センサ導体とを絶縁層を介して積層したものでもよく、その場合も、各行方向センサ導体及び各列方向センサ導体の出力に基づいて、前記電磁ペン１５によるタッチ位置、つまりタッチされた入力キー８を判定することができる。
【００３６】
（第２の実施形態）
図１０はこの発明の第２の実施例を示すタッチ位置検出用センサ基板の平面図であり、このセンサ基板３１は、絶縁性の板部材からなるセンサ基板本体３２の液晶表示素子１に対向する面に、前記液晶表示素子１の複数のキー表示部毎にそれぞれ対応させて、実質的に四角形の渦巻形状に形成された複数のセンサ導体３３を設け、これらのセンサ導体３３の前記渦巻の中心側の端部を、前記基板本体３２のセンサ導体形成面の周縁部に設けられた１つの接地端子３４に、前記基板本体３２のセンサ導体形成面とは反対面に形成された接地配線３４ａを介して接続し、前記複数のセンサ導体３３の他端（渦巻の外周側の端部）を、前記基板本体３２のセンサ導体形成面の周縁部に前記各センサ導体３３毎に対応させて設けられた複数の出力端子３５に、前記基板本体３２のセンサ導体形成面に形成された複数の出力配線３５ａを介してそれぞれ接続したものである。
【００３７】
このセンサ基板３１は、前記複数のセンサ導体３３をそれぞれ渦巻形状に形成しているため、上述した電磁ペン１５と前記センサ基板３１とにより、高感度の電磁誘導型タッチパネルを構成することができる。
【００３８】
しかも、このセンサ基板３１は、前記複数のセンサ導体３３の一端（渦巻の中心側の端部）を接地端子３４に接続し、前記複数のセンサ導体３３の他端を、各センサ導体３３毎に対応させて設けられた複数の出力端子３５にそれぞれ接続しているため、前記複数の出力端子３５の出力から直接的に、前記電磁ペン１５によるタッチ位置、つまりタッチされた入力キー８を判定することができる。
【００３９】
なお、この実施例では、前記複数のセンサ導体３３を、実質的に四角形の渦巻形状に形成しているが、前記センサ導体３３は、他の形状、例えば、実質的に円形の渦巻形状に形成してもよい。
【００４０】
（第３の実施形態）
図１１はこの発明の第３の実施例を示すタッチ位置検出用センサ基板の平面図であり、このセンサ基板３６は、絶縁性の板部材からなるセンサ基板本体３７の液晶表示素子１に対向する面に、前記液晶表示素子１の複数のキー表示部毎にそれぞれ対応させて、一部に切り離し部を有する四角形のリング状に形成された対角線長が互いに異なる複数本のループ線３９が、それぞれの切り離し部を互いに対応させて同心的に形成され、これらのループ線３９の一方の切り離し端同士及び他方の切り離し端同士がそれぞれ接続線４０ａ，４０ｂにより並列接続された形状に形成された複数のセンサ導体３８を設け、これらのセンサ導体３８の一端（一方の接続線４０ａの端部）を、前記基板本体３７のセンサ導体形成面の周縁部に設けられた１つの接地端子４１に、前記基板本体３７のセンサ導体形成面に形成された複数の接地配線４１ａを介して接続し、前記複数のセンサ導体３８の他端（他方の接続線４０ｂの端部）を、前記基板本体３７のセンサ導体形成面の周縁部に前記各センサ導体３８毎に対応させて設けられた複数の出力端子４２に、前記基板本体３７のセンサ導体形成面に形成された複数の出力配線４２ａを介してそれぞれ接続したものである。
【００４１】
このセンサ基板３６は、前記複数のセンサ導体３８をそれぞれ、一部に切り離し部を有する四角形のリング状に形成された対角線長が互いに異なる複数本のループ線３９が、それぞれの切り離し部を互いに対応させて同心的に形成され、これらのループ線３９の一方の切り離し端同士及び他方の切り離し端同士がそれぞれ並列接続された形状に形成しているため、上述した電磁ペン１５と前記センサ基板３６とにより、高感度の電磁誘導型タッチパネルを構成することができる。
【００４２】
しかも、このセンサ基板３６は、前記複数のセンサ導体３８の一端を接地端子４１に接続し、前記複数のセンサ導体３８の他端を、各センサ導体３８毎に対応させて設けられた複数の出力端子４２にそれぞれ接続しているため、前記複数の出力端子４２の出力から直接的に、前記電磁ペン１５によるタッチ位置、つまりタッチされた入力キー８を判定することができる。
【００４３】
なお、この実施例では、前記複数のセンサ導体３８を、四角形のリング状に形成された対角線長が互いに異なる複数本のループ線３９により形成しているが、前記センサ導体３８は、他の形状の複数本のループ線、例えば、円形のリング状に形成された直径が互いに異なる複数本のループ線により形成してもよい。
【００４４】
（他の実施形態）
なお、上述した各実施例の液晶表示装置は、透過型の液晶表示素子１を備えたものであるが、液晶表示素子は、その観察側とは反対側の基板の内面または外面に、磁場を通過させるアルミニウム等の非強磁性金属からなる反射膜を設けた反射型表示素子でも、前記反射膜を各画素の一部に対応させて設けることにより前記各画素毎に透過表示部と反射表示部とを形成した透過／反射表示素子でもよく、前記反射型表示素子を備える場合は、前記面光源９は不要である。
【図面の簡単な説明】
【００４５】
【図１】この発明の第１の実施例を示す液晶表示装置の分解斜視図。
【図２】電磁ペンのペン先部の拡大断面図。
【図３】第１の実施例におけるタッチ位置検出用の平面図。
【図４】前記センサ基板の１つのセンサ導体部の拡大断面図。
【図５】前記センサ導体の変形例を示す平面図。
【図６】前記センサ導体の他の変形例を示す平面図。
【図７】前記センサ導体の他の変形例を示す平面図。
【図８】前記センサ導体の他の変形例を示す平面図。
【図９】前記センサ導体の他の変形例を示す平面図。
【図１０】この発明の第２の実施例を示すタッチ位置検出用センサ基板の平面図。
【図１１】この発明の第３の実施例を示すタッチ位置検出用センサ基板の平面図。
【符号の説明】
【００４６】
１…液晶表示素子、７…画面エリア、８…入力キー、９…面光源、１０…導光板、１２…発光素子、１５…電磁ペン、１７…ペン先部材、１８…磁場発生コイル、１９…交流電源、２０，３１，３６…センサ基板、２１，３２，３７…基板本体、２２，２２ａ，２２ｂ，２２ｃ，２２ｄ，２２ｅ，３３，３８…センサ導体、２４，２６，３９…ループ線、２５ａ，２５ｂ，２７ａ，２７ｂ，４０ａ，４０ｂ…接続線、２８，３４，４１…接地端子、２８ａ，３４ａ，４１ａ…接地配線、２９，３０，３５，４２…出力端子、２９ａ，３０ａ，３５ａ，４２ａ…出力配線。
【図１】
2008084222.tif 000003
【図２】
2008084222.tif 000004
【図３】
2008084222.tif 000005
【図４】
2008084222.tif 000006
【図５】
2008084222.tif 000007
【図６】
2008084222.tif 000008
【図７】
2008084222.tif 000009
【図８】
2008084222.tif 000010
【図９】
2008084222.tif 000011
【図１０】
2008084222.tif 000012
【図１１】
2008084222.tif 000013